(57)【要約】【課題】一つのチャンネルに含まれる複数のサブチャンネルを記録する場合に、記録するサブチャンネルをユーザが任意に設定することができるディジタル放送受信記録装置を提供する。【解決手段】チューナ２で受信したチャンネルのディジタル放送信号をディジタル復調部３でディジタルデータに変換し、該ディジタルデータに基づいて生成されてＣＰＵ１は、ディジタルデータの全体のＴＳから該当するサブチャンネルのパーシャルを検出して、このサブチャンネルのディジタルデータをシステムコントローラ４に抽出させて、ハードディスク５に所定の形式で記録させる。【選択図】　図１
2004080673.tif 000002
【特許請求の範囲】
【請求項１】
複数のチャンネルのそれぞれに少なくとも一つのサブチャンネルが存在し、前記複数のチャンネルの放送信号を多重化した放送波を受信して、選択されたチャンネルの放送信号を復調し、出力するとともに、設定された内容に応じて選択されたチャンネルを記録するディジタル放送信号受信記録装置において、
前記設定された内容に応じて、前記選択されたチャンネルに含まれるそれぞれのサブチャンネルを単独または複数同時に記録するように制御する制御手段と、該制御手段からの制御命令により、選択されたサブチャンネルの放送信号に基づいて生成された映像データおよび音声データを記録する記録手段とを備え、
制御手段は、選択されたチャンネルに含まれる複数のサブチャンネルにおける、最もサブチャンネル番号の小さいサブチャンネルか、またはサブチャンネル番号が小さい方から順に所定数のサブチャンネルを同時に記録するように前記記録手段を制御し、さらに、記録されている複数のサブチャンネルのいずれかが受信されなくなった場合に、受信を継続している他のサブチャンネルのみを記録するように前記記録手段を制御することを特徴とするディジタル放送受信記録装置。
【請求項２】
複数のチャンネルのそれぞれに少なくとも一つのサブチャンネルが存在し、前記複数のチャンネルの放送信号を多重化した放送波を受信して、選択されたチャンネルの放送信号を復調し、出力するとともに、設定された内容に応じて選択されたチャンネルを記録するディジタル放送信号受信記録装置において、
前記設定された内容に応じて、前記選択されたチャンネルに含まれるそれぞれのサブチャンネルを単独または複数同時に記録するように制御する制御手段と、該制御手段からの制御命令により、選択されたサブチャンネルの放送信号に基づいて生成された映像データおよび音声データを記録する記録手段と、
を備えたことを特徴とするディジタル放送受信記録装置。
【請求項３】
前記制御手段は、選択されたチャンネルに含まれる複数のサブチャンネルにおける、最もサブチャンネル番号の小さいサブチャンネルを記録するように前記記録手段を制御する請求項２に記載のディジタル放送受信記録装置。
【請求項４】
前記制御手段は、選択されたチャンネルに含まれる複数のサブチャンネルにおける、サブチャンネル番号が小さい方から順に所定数のサブチャンネルを同時に記録するように前記記録手段を制御する請求項２に記載のディジタル放送受信記録装置。
【請求項５】
前記制御手段は、前記記録されている複数のサブチャンネルのいずれかが受信されなくなった場合に、受信を継続している他のサブチャンネルのみを記録するように前記記録手段を制御する請求項２または請求項４に記載のディジタル放送受信記録装置。
【発明の詳細な説明】
【０００１】
【発明の属する技術分野】
この発明は、それぞれサブチャンネルを少なくとも一つ有する複数のチャンネルからなる多重化された放送信号を受信して、テレビジョン受像器等の表示器に出力するともに、放送信号に基づいて生成された映像データおよび音声データを記録するディジタル放送受信記録装置に関するものである。
【０００２】
【従来の技術】
現在、ディジタル放送では、非常に多数のチャンネルが提供されており、例えば、北米では、ＡＴＳＣ方式と呼ばれるディジタル放送で、１００チャンネル以上の放送が提供されている。これらのチャンネルのなかには、一つの物理チャンネル（以下、単に「チャンネル」という。）を複数のサブチャンネルで構成しているチャンネルもあり、一つのチャンネル内で同一時間帯に複数のサブチャンネルが放送されていることがある。
【０００３】
ディジタル放送受信記録装置は、選択されたチャンネルのディジタル放送信号を受信すると、このディジタル放送信号をディジタルデータに復調した後、デコーダでデコードし、アナログ方式の映像信号と音声信号とに変換し、アナログ方式のテレビジョン受像器に出力する。
【０００４】
また、ディジタル放送受信記録装置は、復調されたディジタルデータをハードディスク等の磁気記録媒体や、光ディスク等に記録する記録手段を備えており、ユーザからの録画命令に従い記録する。この録画命令は、所望の番組が放送中にユーザがリモコン等の録画ボタンを押して実行する方法と、予め番組表等に基づいて、チャンネル番号、録画開始時間、および録画終了時間を予約して、装置本体に記憶させておき、予約された時間になると記録を開始、終了する録画予約による方法とがある。
【０００５】
【発明が解決しようとする課題】
ところが、前述のように、放送されるチャンネル数が多く、一つのチャンネル内でも複数のサブチャンネルが存在する場合には、複数のサブチャンネルの内、視聴者の意志で必要なチャンネルのみを同じ記録したいこともある。
【０００６】
しかし、従来のディジタル放送受信記録装置では、一度の記録（録画）でそのチャンネルに含まれる全てのサブチャンネルを記録してしまう。このため、不必要なサブチャンネルまで記録してしまう。録画時間が長くなる場合、このように不要なサブチャンネルまで記録してしまうと、記録媒体の使用容量が膨大になってしまい、記録容量の無駄使いとなってしまう。
【０００７】
また、従来、ディジタル放送受信記録装置の技術が種々考案されており、特開２００１−１６９１９４号公報や特開２００２−１７６４００号公報などがあるが、前述のような問題を解決する方法は、全く開示されていない。
【０００８】
この発明の目的は、一つのチャンネルに含まれる複数のサブチャンネルを同じ時間帯で記録する場合に、記録するサブチャンネルをユーザが任意に設定することができるディジタル放送受信記録装置を提供することにある。
【０００９】
【課題を解決するための手段】
この発明に示すディジタル放送受信記録装置は、ユーザが設定した録画内容に応じて、選択されたチャンネルに含まれるそれぞれのサブチャンネルを単独または複数同時に記録するように制御する制御手段と、制御手段からの制御命令により、選択されたサブチャンネルの放送信号に基づいて生成された映像データおよび音声データを記録する記録手段とを備えることを特徴としている。
【００１０】
この構成では、ユーザが設定した録画内容に応じて、一つのサブチャンネル、または同じチャンネル内で同じ時間帯に重なって放送されている複数のサブチャンネルが選択されて、記録手段に同時に記録される。
【００１１】
また、この発明に示すディジタル放送受信記録装置の制御手段は、選択されたチャンネルにおける最もサブチャンネル番号の小さいサブチャンネルのみを記録するように記録手段を制御することを特徴としている。
【００１２】
この構成では、一つのチャンネルを選択して録画すると、このチャンネルに含まれる、最もサブチャンネル番号の小さいサブチャンネルのみが記録される。
【００１３】
また、この発明に示すディジタル放送受信記録装置の制御手段は、選択されたチャンネルにおけるサブチャンネル番号が小さい方から順に二つのサブチャンネルを略同時に記録するように記録手段を制御することを特徴としている。
【００１４】
この構成では、一つのチャンネルを選択して録画すると、このチャンネルに含まれるサブチャンネル番号が小さい方から順に二つのサブチャンネルが自動的に同時に記録される。
【００１５】
また、この発明に示すディジタル放送受信記録装置の制御手段は、記録されている複数のサブチャンネルの一方が受信されなくなった場合に、受信を継続している他方のサブチャンネルのみを記録するように記録手段を制御することを特徴としている。
【００１６】
この構成では、予め記録するように設定した複数のサブチャンネルのいずれかが受信されなくなっても、記録設定されている他のサブチャンネルのみが継続して記録手段に記録される。また、この構成では、予め記録するように設定した複数のサブチャンネルのいずれかが受信されなくなっても、設定されたサブチャンネル番号以外のサブチャンネルは、新たに記録されない。
【００１７】
【発明の実施の形態】
本発明の実施形態に係るディジタル放送受信記録装置について、図を参照して説明する。
図１は本発明に係るディジタル放送受信記録装置の概要を示すブロック図である。
【００１８】
ディジタル放送受信記録装置は、チューナ２と、ディジタル復調部３と、本発明の記憶手段に対応するシステムコントローラ４および記憶媒体であるハードディスク５と、デコーダ６と、ユーザ命令受信部１０と本発明の制御手段に対応するＣＰＵ１から構成されている。
【００１９】
チューナ２は、アンテナ７に接続されており、アンテナ７で受信した放送波のうち、ユーザにより選択されたチャンネルのディジタル放送信号を抽出して増幅し、ディジタル復調部３に出力する。ディジタル復調部３は、選択されたチャンネルのディジタル放送信号を、ディジタルデータに変換し、システムコントローラ４を介してデコーダ６に出力する。デコーダ６は、入力されたディジタルデータをデコードしてアナログの映像信号と音声信号に変換し、図示されていないアナログ方式のテレビジョン受像器に出力する。テレビジョン受像器は映像信号に基づいて画面に映像を表示するとともに、音声信号に基づいて、スピーカ等の音声出力手段から音声を出力する。
【００２０】
ここで、選択されたチャンネルは、図２に示すように三つのサブチャンネルから構成されており、一つのサブチャンネルを選択すると、ＣＰＵ１は選択されたサブチャンネルを含むチャンネル全体のトランスポートストリーム（以下、「ＴＳ」という。）を取得し、選択されたサブチャンネルを識別するパーシャルを検出する。このパーシャルに基づいて、ＣＰＵ１は選択されたサブチャンネルのみを、デコーダ６に出力するようにシステムコントローラ４を制御する。このようにして、ユーザは選択したサブチャンネルのみを視聴する。
【００２１】
ユーザがリモコン等を用いて、サブチャンネル番号の最も小さいサブチャンネルのみを記録（録画）するように選択すると、ＣＰＵ１は、全体のＴＳから該当するサブチャンネルのパーシャルを検出して、このサブチャンネルの部分のディジタルデータをシステムコントローラ４に抽出させて、ハードディスク５に所定の形式で記録する。システムコントローラ４はメモリを具備しており、所定時間に亘りディジタルデータをメモリに蓄積すると所定の形式のファイルに変換して、ハードディスク５に記録する動作を所定の間隔で繰り返す。これにより、複数のサブチャンネルを同時に記録する場合でも、一つのサブチャンネルのディジタルデータをハードディスク５に書き込みを行っている間に、他のサブチャンネルのディジタルデータを蓄積することができ、ほぼ同時に複数のサブチャンネルをハードディスク５に記録することができる。ここに示したファイルの記録形式としては、ＭＰＥＧ形式を用いることが一般的である。
【００２２】
次に、ユーザが任意のサブチャンネルを記録する方法について説明する。
【００２３】
ユーザが、リモコン等を用いて、サブチャンネル番号が最も小さいサブチャンネルを記録するように命令すると、ユーザ命令受信部１０はこの命令を受信してＣＰＵ１に出力する。
【００２４】
図２に示すような場合、サブチャンネル番号が最も小さいのはサブチャンネル１であるので、ＣＰＵ１は常にサブチャンネル１のみをハードディスク５に記録するように制御する。例えば、６：００から１８：００までサブチャンネル１を連続して記録する場合、６：００〜８：００の間は、サブチャンネル１のみでチャンネルが構成されているので、チャンネル全体のディジタルデータを記録する。次に、８：００〜１２：００の間は、サブチャンネル１，２，３でチャンネルが構成されているので、全体のＴＳからサブチャンネル１のみのディジタルデータを抽出して記録する。次に、１２：００〜１６：００の間は、サブチャンネル１，２でチャンネルが構成されているので、全体のＴＳからサブチャンネル１のみのディジタルデータを抽出して記録する。そして、１６：００〜１８：００の間は、サブチャンネル１のみでチャンネルが構成されているので、チャンネル全体のディジタルデータを記録する。
【００２５】
ここで、６：００〜８：００と１６：００〜１８：００はチャンネル全体でサブチャンネル１を構成しているので、広い帯域を利用することができ、ディジタルデータを精細なデータにすることができる。また、１２：００〜１６：００についても同様に、サブチャンネル１とサブチャンネル２とでチャンネル全体を構成し、８：００〜１２：００にサブチャンネル３が使用していた分の帯域でサブチャンネル２を放送し、８：００〜１２：００にサブチャンネル１とサブチャンネル２とが使用していた帯域でサブチャンネル１を放送する。このようにチャンネルを構成することで、メインとなるサブチャンネル１をできる限り精細なデータで放送することができる。
【００２６】
次に、ユーザがリモコン等を用いて、サブチャンネル番号の小さい順に二つのサブチャンネルを記録するように選択すると、ＣＰＵ１は、全体のＴＳから該当するサブチャンネルのパーシャルを検出して、このサブチャンネルの部分のディジタルデータをシステムコントローラ４に抽出させて、ハードディスク５に所定の形式で記録させる。ここで、サブチャンネルが一つしかない時間帯について、ＣＰＵ１は放送されているサブチャンネルが前記条件を満たしていれば、そのチャンネルのみを記録するようにシステムコントローラ４を制御する。
【００２７】
例えば、図２に示す場合、６：００〜８：００の間は、サブチャンネル１のみを記録する。次に、８：００〜１２：００の間は、チャンネル全体のＴＳからサブチャンネル１，２のパーシャルを検出して、サブチャンネル１，２のディジタルデータのみを記録する。次に、１２：００〜１６：００の間は、チャンネルがサブチャンネル１，２のみで構成されていることを検出して、チャンネル全体のディジタルデータを記録する。そして、１６：００〜１８：００の間は、チャンネルがサブチャンネル１のみで構成されていることを検出して、チャンネル全体のディジタルデータを記録する。
【００２８】
次に、このように記録されたサブチャンネルを含むディジタルデータを再生する方法について示す。
【００２９】
ユーザが記録されてディジタルデータを再生し、所望のサブチャンネルを選択すると、ＣＰＵ１は、ディジタルデータに含まれる該当するサブチャンネルのパーシャルを検出し、システムコントローラ４に、指定されたサブチャンネルのディジタルデータのみを抽出して、デコーダ６に出力するように制御する。指定されたサブチャンネルからなるディジタルデータは、デコーダ６でデコードされて、映像信号と音声信号とを生成し、テレビジョン受像器に出力される。
【００３０】
このような構成とすることで、ユーザは自ら設定したサブチャンネルのみを任意に記録することができるとともに、不必要なサブチャンネルを記録せずに済むため、ハードディスク等の記録媒体を有効に使用することができる。
【００３１】
ここで、例えば、８：００〜１２：００の間に予定されていたサブチャンネル２が放送されなかった場合、ＣＰＵ１はサブチャンネル１とサブチャンネル３を記録するのではなく、サブチャンネル１のみを記録する。そして、１２：００〜１６：００の間にサブチャンネル２が放送を再開すればサブチャンネル１，２を記録する。すなわち、ＣＰＵ１はチャンネルを構成するサブチャンネルの番号が小さいものから二つを検出するものであり、録画予約されているある時点で、そのサブチャンネルが存在せず、設定されたサブチャンネルの次に小さい番号のサブチャンネルが存在しても検出せず、記録も行わない。
【００３２】
このような構成とすることで、ユーザが設定したサブチャンネル以外のサブチャンネルが記録されないので、ハードディスク等の記録媒体を必要以上に使用することが防止され、有効に記録容量を使用することができる。
【００３３】
なお、本実施形態に示したように、サブチャンネル番号が小さい方から順に記録するのは、サブチャンネル番号が小さいほど、そのチャンネルのメインとなるチャンネルに位置づけられることが多いからである。例えば、サブチャンネル１がメインのチャンネルであり、サブチャンネル２が副メインのチャンネルとなる場合が多いからであり、小さい番号から順にサブチャンネルを形成することが多いからである。しかし、メインとなるチャンネルのサブチャンネル番号が小さくない場合であっても、そのサブチャンネル番号に応じて、任意に記録するサブチャンネルを設定することもできる。
【００３４】
また、前述の録画操作は、ユーザが放送中に録画操作する場合に限らず、予約録画操作を行う場合にも適用することができる。
【００３５】
また、前述の説明では、サブチャンネル番号の小さい方から順に二つのサブチャンネルを記録する方法を示したが、三つ以上のサブチャンネルを設定して記録することもできる。
【００３６】
また、本実施形態では、映像データと音声データと番組情報データとを含むディジタルデータを一つのファイルとして記録する方法を示したが、映像データと音声データと番組情報データとを分離し、それぞれ異なるファイルとして記録してもよい。この場合、再生時に各ファイルを結合するための関連付けを示す情報を付加しておけばよい。
【００３７】
また、本実施形態に示したディジタル放送受信記録装置でも、全てのサブチャンネルを記録するように設定することで、チャンネル全体を記録することができる。
【００３８】
【発明の効果】
この発明によれば、ユーザが設定した録画内容に応じて、一つのサブチャンネル、または同じチャンネル内で同じ時間帯に重なって放送されている複数のサブチャンネルが選択されて同時に記録されるので、ユーザは、所望のサブチャンネルのみからなるディジタルデータを記録することができる。さらに、ユーザにとって不必要なサブチャンネルが記録されないため、記録媒体の使用容量が不必要に大きくなることが防止され、記録容量を有効に使用することができる。
【００３９】
また、一つのチャンネルを選択して録画すると、このチャンネルに含まれる、最もサブチャンネル番号の小さいサブチャンネルのみが記録されたり、このチャンネルに含まれるサブチャンネル番号が小さい方から順に二つのサブチャンネルが自動的に同時に記録されることで、比較的重要度の高いサブチャンネルを優先して記録することができる。
【００４０】
また、記録するように設定された複数のサブチャンネルのいずれかが受信されなくなっても、他のサブチャンネルのみが継続して記録手段に記録されたり、記録するように設定された複数のサブチャンネルのいずれかが受信されなくなっても、予め設定されたサブチャンネルの番号以外のサブチャンネルは、新たに記録されないことにより、ユーザの所望するサブチャンネルのみを記録することができる。
【図面の簡単な説明】
【図１】本発明の実施形態に係るディジタル放送受信記録装置に概要を示すブロック図
【図２】あるチャンネルの放送タイムテーブルを示す概要図
【符号の説明】
１−ＣＰＵ
２−チューナ
３−ディジタル復調部
４−システムコントローラ
５−ハードディスク
６−デコーダ
７−アンテナ
１０−ユーザ命令受信部
【図１】
2004080673.tif 000003
【図２】
2004080673.tif 000004